(57)【要約】【課題】  合成樹脂製パレットにおいて、複数種類のパレットサポータの装着が可能となり、汎用性を向上することができるようにする。【解決手段】  上面１ａの角部に、サポータ係合部２、３が設けられ、それぞれにおいて、角部を形成する側面１ｂ、１ｃに対して平行な第１係止面２ｂ、第２係止面２ｃ、第３係止面、第４係止面を備え、係合位置の異なるパレットサポータ１０Ａ、１０Ｂを交換可能に係合することができるように構成される。【選択図】      図５
2006335432.tif 000002
【特許請求の範囲】
【請求項１】
合成樹脂成形により略直方体状に形成され、成形面およびリブ端面により、表裏に位置する積載面および底面とそれらの外周を囲む４つの側面が形成されるとともに、前記積載面の角部にパレットサポータの脚部を係合するパレットサポータ係合部が設けられた合成樹脂製パレットであって、
前記パレットサポータ係合部が、前記積載面の角部近傍において、複数設けられ、
前記パレットサポータ係合部のそれぞれが、前記角部を形成する２つの側面に対してそれぞれ平行に設けられた２つの係止面を備えることにより、前記パレットサポータの脚部の係合位置または係合形状の異なる複数種類のパレットサポータを交換可能に係合することができる構成とされたことを特徴とする合成樹脂製パレット。
【請求項２】
前記パレットサポータ係合部の前記２つの係止面の少なくとも一方に隣接して前記パレットサポータの脚部の突起物を避けるための凹部が設けられた請求項１に記載の合成樹脂製パレット。
【請求項３】
前記パレットサポータ係合部により係合されるパレットサポータが、互いに略直交する脚部上面と２つの脚部側面と、該２つの脚部側面にそれぞれ平行な面を有するように前記脚部上面の下面側に設けられた突片とからなるものであって、
前記パレットサポータ係合部が、前記積載面の角部を形成する側面、および該側面に平行な係止面とに、前記パレットサポータの前記脚部側面と前記突片とを外嵌せしめることにより、前記パレットサポータの脚部を前記積載面の角部を形成する側面の各法線方向に係合するようにした請求項１または２に記載の合成樹脂製パレット。
【請求項４】
前記パレットサポータ係合部が、前記積載面から前記底面に向かって貫通されるとともに、平面視で直交する２方向に延びるＬ字状の孔部を備え、前記突片を前記Ｌ字状の孔部のいずれかの直線状孔部分に挿入して係合できるようにした請求項３に記載の合成樹脂製パレット。
【発明の詳細な説明】
【技術分野】
【０００１】
本発明は、パレットサポータの脚部を係合するパレットサポータ係合部を設けた合成樹脂製パレットに関する。
【背景技術】
【０００２】
近年、木製パレットに代わって、次第に合成樹脂製パレットが用いられるようになっている。一方、箱詰めされていない被載物などを載置した場合にもパレットごと積み上げるためにパレットに装着するパレットサポータが実用化されている。
そのため、合成樹脂製パレットにおいても、パレットサポータの脚部を係合するためのパレットサポータ係合部を備える合成樹脂製パレットが提案されている。
例えば、特許文献１には、パレットのコーナ部に、凹所を凹設し、パレットサポータ支持具の天板から延ばされた固定片を挿入するようにしたパレットサポータ支持具の取付構造が記載されている。
また、特許文献２には、パレットの角部に、パレットサポータの嵌合部の上部縁部が挿入可能な水平溝部と、その水平溝部の奥部にパレットサポータの嵌合突起が挿入可能な嵌合孔とが形成された合成樹脂製パレットが記載されている。
また、特許文献３には、パレットの隅部に表面部から裏面部に貫通した角形通孔が形成され、その角形通孔を形成する一方の外縁部の表面に段部が形成されることによりパレットサポーター用脚部を嵌着することができるようにした合成樹脂製パレットが記載されている。
【特許文献１】特開平１０−３５６７４号公報（図３）
【特許文献２】特許第３４８６３０９号公報（図１−３）
【特許文献３】特開平１０−１７５６３５号公報（図１１，１４）
【発明の開示】
【発明が解決しようとする課題】
【０００３】
しかしながら、上記のような従来の合成樹脂製パレットには、以下のような問題があった。
これら上記の合成樹脂製パレットは、木製パレットに代替されてきたものであり、パレットサポータも木製パレットと兼用できるものが用いられている。
木製パレットは、例えば、図９に示すように角柱状の桁部２０ｂの上下に横板２０ａ、２０ａを渡して固定し、平面視方向に間隙２０ｃを開けてさらに複数の横板２０ａを設けることにより、上側に積載面を形成したものである。そして、積載面の角部に取り付けるパレットサポータの脚部は、横板２０ａの幅Ｗ１、間隙２０ｃに露出する桁部２０ｂの幅Ｗ２の部分に嵌着する構成となっている。
従来、横板２０ａの幅Ｗ１は、例えば、Ｗ１＝１２０ｍｍ、１５０ｍｍの２種類が、桁部２０ｂの幅Ｗ２は、Ｗ２＝５０ｍｍが一般に用いられており、また、横板２０ａの厚さＨは、例えば、Ｈ＝２０ｍｍとなっている。
そのために、このようなパレットの寸法に対応して、脚部の形状や寸法が異なるパレットサポータが用いられている。
特許文献１〜３に記載の技術では、いずれも、木製パレットと共通なパレットサポータの着脱が可能であるものの、異なる種類のパレットサポータの脚部に対しては互換性を有していなかった。そのため、取付可能なパレットサポータが１種類に限定され、汎用性に乏しいものとなるという問題がある。
【０００４】
本発明は、上記のような問題に鑑みてなされたものであり、複数種類のパレットサポータの装着が可能となり、汎用性を向上することができる合成樹脂製パレットを提供することを目的とする。
【課題を解決するための手段】
【０００５】
上記の課題を解決するために、本発明の合成樹脂製パレットは、合成樹脂成形により外形が略直方体状に形成され、成形面およびリブ端面により、表裏に位置する積載面および底面とそれらの外周を囲む４つの側面が形成されるとともに、前記積載面の角部にパレットサポータの脚部を係合するパレットサポータ係合部が設けられた合成樹脂製パレットであって、前記パレットサポータ係合部が、前記積載面の角部近傍において、複数設けられ、前記パレットサポータ係合部のそれぞれが、前記角部を形成する２つの側面に対してそれぞれ平行に設けられた２つの係止面を備えることにより、前記パレットサポータの脚部の係合位置または係合形状の異なる複数種類のパレットサポータを交換可能に係合することができる構成とする。
本発明によれば、１つのパレットサポータ係合部において、脚部の係合位置または係合形状の異なる複数種類のパレットサポータを交換可能に係合することができ、そのようなパレットサポータ係合部を複数備えるので、少なくとも４種類以上のパレットサポータを交換可能に係合することができる。
【発明の効果】
【０００６】
本発明の合成樹脂製パレットによれば、複数種類のパレットサポータを交換可能に係合することができるので、パレットサポータを取り付ける場合の互換性、汎用性が向上し、合成樹脂製パレットの効率的な利用が可能となるという効果を奏する。
【発明を実施するための最良の形態】
【０００７】
本発明の合成樹脂製パレットは、前記パレットサポータ係合部の前記２つの係止面の少なくとも一方に隣接して前記パレットサポータの脚部の突起物を避けるための凹部が設けられた構成とすることが好ましい。
この場合、凹部によりパレットサポータの脚部の突起物を避けることができるので、パレットサポータの脚部において、少なくとも一方の係止面と該係止面と平行な前記側面との間に、突起物が出ている形状であっても可能となる。
【０００８】
また、本発明の合成樹脂製パレットは、前記パレットサポータ係合部により係合されるパレットサポータが、互いに略直交する脚部上面と２つの脚部側面と、該２つの脚部側面にそれぞれ平行な面を有するように前記脚部上面の下面側に設けられた突片とからなるものであって、前記パレットサポータ係合部が、前記積載面の角部を形成する側面、および該側面に平行な係止面とに、前記パレットサポータの前記脚部側面と前記突片とを外嵌せしめることにより、前記パレットサポータの脚部を前記積載面の角部を形成する側面の各法線方向に係合するようにした構成とすることが好ましい。
この場合、パレットサポータとして、互いに略直交する脚部上面と２つの脚部側面と、その２つの脚部側面にそれぞれ平行な面を有するように脚部上面の下面側に設けられた突片とからなるものを、パレットサポータ係合部に係合することができるので、木製パレットにおいて、一般的に用いられている構成のパレットサポータを係合することができる。
【０００９】
また、本発明の前記突片を備えるパレットサポータと係合する合成樹脂製パレットは、前記パレットサポータ係合部が、前記積載面から前記底面に向かって貫通されるとともに、平面視で直交する２方向に延びるＬ字状の孔部を備え、前記突片が前記Ｌ字状の孔部のいずれかの直線状孔部分に挿入して係合できるようにした構成とすることが好ましい。
この場合、パレットサポータ係合部を平面視Ｌ字状の孔部とし、突片をそのＬ字状の孔部のいずれかの直線状部分に挿入して係合できるので、パレットサポータの脚部の突片を案内しやすくなり、パレットサポータの着脱が容易となるとともに、異なる形状のパレットサポータの脚部の誤挿入を防止することができる。
【００１０】
以下では、本発明の実施形態に係る実施例について添付図面を参照して説明する。
【実施例】
【００１１】
本発明の実施例の合成樹脂製パレットについて説明する。
図１は、本発明の実施例の合成樹脂製パレットの概略構成について説明するための斜視説明図である。図２は、図１のＰ部の平面説明図である。図３（ａ）、（ｂ）は、それぞれ図２のＡ−Ａ断面説明図およびＢ−Ｂ断面説明図である。図４は、図１のＰ部の裏面説明図である。
【００１２】
本実施例のパレット１（合成樹脂製パレット）は、図１に示すように、合成樹脂成形により略直方体状に形成され、成形面およびリブ端面により、表裏に位置する上面１ａ（積載面）および底面１ｄと、それらの外周を囲む側面１ｂ、１ｂ、１ｃ、１ｃが形成されるとともに、上面１ａの角部にパレットサポータの脚部を係合するサポータ係合部２、３（パレットサポータ係合部）がそれぞれ設けられたものである。
側面１ｃ、１ｃには、側面１ｂに沿う方向に貫通するフォーク挿入孔１Ａ、１Ａが設けられている。また、上面１ａ、底面１ｄには、水切りなどのために設けられた貫通孔５が多数設けられている。
【００１３】
サポータ係合部２は、図２、３、４に示すように、平面視で、側面１ｂ、１ｃにそれぞれ沿う方向に延されたＬ字状の孔部を構成する第１挿入孔部２Ｂ（直線状孔部分）、第２挿入孔部２Ｃ（直線状孔部分）と、上面１ａから所定距離ｈだけ低い段状に設けられ第１挿入孔部２Ｂに隣接して側面１ｂまで延された凹部２ａとからなる。
【００１４】
第１挿入孔部２Ｂは、側面１ｂから所定距離ｖ、例えば、ｖ＝５０ｍｍだけ離して設けられた第１係止面２ｂ（係止面）と、それに対向する挿入案内面２ｄとを備える。
第２挿入孔部２Ｃは、側面１ｃから所定距離ｕ１、例えば、ｕ１＝１５０ｍｍだけ離して設けられた第２係止面２ｃ（係止面）と、それに対向する挿入案内面２ｅとを備える。
ここで、寸法ｖ＝５０ｍｍは、図９の木製パレットの幅Ｗ２に相当する寸法であり、寸法ｕ１＝１５０ｍｍは、同じく幅Ｗ１に相当する寸法である。また、上面１ａと凹部２ａとの段差ｈは、例えば、ｈ＝２０ｍｍとされている。
【００１５】
サポータ係合部３は、サポータ係合部２と略同形の構造をサポータ係合部２の第２係止面２ｃ側に隣接して形成したものである。
すなわち、図２に示すように、平面視で、側面１ｂ、１ｃにそれぞれ沿う方向に延されたＬ字状の孔部を構成する第３挿入孔部３Ｂ（直線状孔部分）、第４挿入孔部３Ｃ（直線状孔部分）と、上面１ａから所定距離ｈだけ低い段状に設けられ第３挿入孔部３Ｂに隣接して側面１ｂまで延された凹部３ａとからなる。断面方向の構成は、サポータ係合部２と略同様のため、図示は省略する。
【００１６】
第３挿入孔部３Ｂは、側面１ｂから所定距離ｖ、例えば、ｖ＝５０ｍｍだけ離して設けられた第３係止面３ｂ（係止面）と、それに対向する挿入案内面３ｄとを備える。
第４挿入孔部３Ｃは、側面１ｃから所定距離ｕ２、例えば、ｕ２＝１２０ｍｍだけ離して設けられた第４係止面３ｃ（係止面）と、それに対向する挿入案内面３ｅとを備える。
ここで、寸法ｕ２＝１２０ｍｍは、図９の木製パレットの幅Ｗ１に相当する寸法である。また、上面１ａと凹部３ａとの段差ｈは、例えば、ｈ＝２０ｍｍとしている。
【００１７】
また、本実施例の寸法関係では、凹部２ａと凹部３ａとの間の上面１ａは、合成樹脂成形の平均肉厚と同程度となるので、第２係止面２ｃに整列して延びるリブ２ｆの先端部として形成されている。そのため、リブ２ｆを補強するため凹部３ａとリブ２ｆとの間に三角リブ状の補強リブ４、４が設けられている。補強リブ４の上端部は、上面１ａよりわずかに低い位置で段部を形成している。
ただし、ｕ１、ｕ２の寸法の関係で、より広い幅を取ることができれば、例えば、断面コ字状の形状で形成してもよい。
【００１８】
また、底面１ｄには、グロメット取付部６にグロメット７が挿着されており、パレット１の滑り止めが形成されている。
【００１９】
次に、本実施例のパレット１とパレットサポータとの係合構造について説明する。
図５（ａ）、（ｂ）は、それぞれ本発明の実施例の合成樹脂製パレットとパレットサポータの脚部との係合構造について説明するための分解斜視図である。図６は、本発明の実施例の合成樹脂製パレットと図５（ａ）、（ｂ）に対応するそれぞれのパレットサポータとの係合構造について説明するための平面視の部分断面図である。図７（ａ）、（ｂ）は、それぞれ本発明の実施例の合成樹脂製パレットとパレットサポータの脚部との係合構造について説明するための分解斜視図である。図８は、本発明の実施例の合成樹脂製パレットと図７（ａ）、（ｂ）に対応するそれぞれのパレットサポータとの係合構造について説明するための平面視の部分断面図である。
【００２０】
パレット１は、図５（ａ）、（ｂ）、図６に示すように、それぞれ脚部の係合形状が同じタイプで、係合位置のみが異なるパレットサポータ１０Ａ、１０Ｂをそれぞれサポータ係合部２、サポータ係合部３に係合することができる。
パレットサポータ１０Ａのサポータ脚部１２Ａ（パレットサポータの脚部）は、サポート支柱部１１の下部に設けられた互いに直交して、直方体の角部を形成する脚部上面１２ａ、脚部側面１２ｂ、１２ｃと、脚部上面１２ａの下面から突設されたストッパ１３とからなる。
【００２１】
なお、パレットサポータ１０Ａは、そのサポータ脚部１２Ａがパレット１の４つの角部に対応して４つ設けられ、それぞれがサポート支柱部１１により接続されたフレーム状の構造を有するものであるが、以下ではパレット１との係合に関係しない部分の構成の説明は省略する。後述するパレットサポータ１０Ｂ、サポータ脚部１２Ｂも同様である。
【００２２】
脚部上面１２ａ、脚部側面１２ｂ、１２ｃは、パレット１の角部において、それぞれ上面１ａ、側面１ｂ、側面１ｃに当接可能とされている。
ストッパ１３は、脚部側面１２ｃの法線方向から見て、脚部上面１２ａから下方に向けて、脚部上面１２ａに沿う方向に突設された１つの直線部分と、それに直交して下方に延された他の直線部分とにより構成される略Ｌ字状の突片からなる。そして、脚部側面１２ｃの内側面から（１５０＋α）ｍｍ（ただし、αは、部品バラツキを考慮して適宜に設定した嵌合の遊び分である。以下同様。）だけ平行に離間された位置に、脚部側面１２ｃに平行な第２ストッパ面１３ｃが形成されている。そして、ストッパ１３のうち上記の他の直線部分の側面のうち、脚部側面１２ｂと対向する位置に、脚部側面１２ｂ側から、距離（５０＋α）ｍｍだけ平行に離間された位置に、第１ストッパ面１３ｂが形成されている。ストッパ１３のうち、上記の１つの直線部分の下面側には、脚部上面１２ａから２０ｍｍ以下の寸法に切り欠かれた切欠き下面１３ａと形成されている。
第２ストッパ面１３ｃにおける下端部の幅は、第２挿入孔部２Ｃおよび第４挿入孔部３Ｃに挿入可能な幅で形成されている。
【００２３】
パレットサポータ１０Ａは、このような構成を有するため、パレット１に係合されると、図６に示すように、側面１ｂと第１係止面２ｂとに、それぞれ脚部側面１２ｂと第１ストッパ面１３ｂとが嵌着されるとともに、側面１ｃと第２係止面２ｃとに、それぞれ脚部側面１２ｃと第２ストッパ面１３ｃとが嵌着される。
これにより、サポータ脚部１２Ａがパレット１に対して、脚部上面１２ａを上面１ａに押しつけた状態で、側面１ｂ、１ｃの各法線方向に沿う位置が略固定される係合構造が形成される。
【００２４】
サポータ脚部１２Ｂは、サポータ脚部１２Ａのストッパ１３が、脚部側面１２ｃから距離（１２０＋α）ｍｍの位置に設けられた点のみが異なる。
そのため、パレットサポータ１０Ｂがパレット１に係合されると、図６に示すように、側面１ｂと第３係止面３ｂとに、それぞれ脚部側面１２ｂと第１ストッパ面１３ｂとが嵌着されるとともに、側面１ｃと第４係止面３ｃとに、それぞれ脚部側面１２ｃと第２ストッパ面１３ｃとが嵌着される。これにより、サポータ脚部１２Ｂがパレット１に対して、脚部上面１２ａを上面１ａに押しつけた状態で、側面１ｂ、１ｃの各法線方向に沿う位置が略固定される係合構造が形成される。
なお、補強リブ４は、このような係合状体で、切欠き下面１３ａと干渉しないように設けられている。
【００２５】
また、パレット１は、図７（ａ）、（ｂ）、図８に示すように、それぞれ脚部の係合形状が同じタイプで、係合位置のみが異なるパレットサポータ１４Ａ、１４Ｂをそれぞれサポータ係合部２、サポータ係合部３に係合することができるようになっている。
パレットサポータ１４Ａのサポータ脚部１５Ａ（パレットサポータの脚部）は、サポート支柱部１１の下部に設けられた、互いに直交して直方体の角部を形成する脚部上面１５ａ、脚部側面１５ｂ、１５ｃと、脚部上面１５ａの下面から突設されたストッパ１６とからなる。
【００２６】
なお、パレットサポータ１４Ａは、これらのサポータ脚部１５Ａがパレット１の４つの角部に対応して設けられ、それぞれがサポート支柱部１１により接続されたフレーム状の構造を有するものであるが、以下ではパレット１との係合に関係しない部分の構成の説明は省略する。後述するパレットサポータ１４Ｂ、サポータ脚部１５Ｂも同様である。
【００２７】
脚部上面１５ａ、脚部側面１５ｂ、１５ｃは、パレット１の角部において、それぞれ上面１ａ、側面１ｂ、側面１ｃに当接可能とされている。
ストッパ１６は、第１挿入孔部２Ｂに挿入可能な板片をＬ字状に曲げ、曲げ内面である第１ストッパ面１６ｂが脚部側面１５ｂから距離（５０＋α）ｍｍの位置の平行面を形成し、板片の側面のうち脚部側面１５ｃに近い側の第２ストッパ面１６ｃが脚部側面１５ｃの内側から距離（１５０＋α）ｍｍに配置された状態で、脚部上面１５ａの裏面に接合されたものである。脚部上面１５ａに接合されて下方に突出する板片の下面であるストッパ下面１６ａは、脚部上面１５ａから下面への突起物となっているが、凹部２ａ、３ａや、補強リブ４の上端部などは、これと干渉しない形状、寸法に設けられている。
【００２８】
このような構成を有するため、パレットサポータ１４Ａがパレット１に係合されると、図８に示すように、側面１ｂと第１ストッパ面１６ｂとに、それぞれ脚部側面１５ｂと第１ストッパ面１６ｂとが嵌着されるとともに、側面１ｃと第２係止面２ｃとに、それぞれ脚部側面１５ｃと第２ストッパ面１６ｃとが嵌着される。
これにより、サポータ脚部１５Ａがパレット１に対して、脚部上面１５ａを上面１ａに押しつけた状態で、側面１ｂ、１ｃの各法線方向に沿う位置が略固定される係合構造が形成される。
【００２９】
サポータ脚部１５Ｂは、サポータ脚部１５Ａのストッパ１６が、脚部側面１５ｃから距離（１２０＋α）ｍｍの位置に設けられた点のみが異なる。
そのため、パレットサポータ１４Ｂがパレット１に係合されると、図８に示すように、側面１ｂと第３係止面３ｂとに、それぞれ脚部側面１５ｂと第１ストッパ面１６ｂとが嵌着されるとともに、側面１ｃと第４係止面３ｃとに、それぞれ脚部側面１５ｃと第２ストッパ面１６ｃとが嵌着される。これにより、サポータ脚部１５Ｂがパレット１に対して、脚部上面１５ａを上面１ａに押しつけた状態で、側面１ｂ、１ｃの各法線方向に沿う位置が略固定される係合構造が形成される。
【００３０】
これらパレットサポータ１０Ａ、１０Ｂ、１４Ａ、１４Ｂは、いずれも、上方に引き抜くことにより、パレット１から着脱することが可能である。
したがって、本実施例のパレット１では、サポータ係合部２には、パレットサポータ１０Ａ、１４Ａが、サポータ係合部３には、パレットサポータ１０Ｂ、１４Ｂが係合可能となっているので、それぞれを交換可能に係合することができるものである。
このように、パレット１は、パレットサポータの脚部の係合位置や係合形状の異なる複数種類のパレットサポータが装着可能とされ、交換して用いることができるので、汎用性が格段に向上するものである。
【００３１】
また、本実施例では、第２挿入孔部２Ｃ、第４挿入孔部３Ｃが、第２ストッパ面１３ｃを形成する突片に沿う形状に延され、また、第１挿入孔部２Ｂ、第３挿入孔部３Ｂが、第１ストッパ面１６ｂを形成する突片に沿う形状に延された平面視Ｌ字状に孔部が形成されている。
そのため、第２ストッパ面１３ｃ、第２ストッパ面１６ｃの裏面が挿入案内面２ｅ、挿入案内面３ｅに沿って挿入されるので、円滑な係合を行うことができるとともに、異なる形状のパレットサポータの脚部の誤挿入などを防止することができるという利点がある。
【００３２】
なお、上記の説明では、合成樹脂製パレットが、４種類のパレットサポータ１０Ａ、１０Ｂ、１４Ａ、１４Ｂに係合可能となる例で説明したが、パレットサポータの係合位置や係合形状は、これらのパレットサポータの脚部に限定されるものではない。
例えば、寸法ｕ１、ｕ２、ｖなどは上記の寸法に限定されるものではない。
【００３３】
また、上記の説明では、合成樹脂製パレットが２種類のパレットサポータ係合部を各角部に備える例で説明したが、パレットサポータ係合部の種類は３種類以上でであってもよい。
【００３４】
また、上記の説明では、各パレットサポータ係合部は、２種類のパレットサポータの脚部を係合できるようにした例で説明したが、パレットサポータの脚部の係合位置、係合形状により、可能であれば３種類以上の脚部を係合できるようにしてもよい。
【００３５】
また、上記の説明では、２つのパレットサポータ係合部において、１つの係止面と角部を形成する一方の側面との間の距離が等しい（距離ｖ）場合の例で説明したが、このような構成に限定されるものではない。パレットサポータの脚部の形状や寸法に応じて、例えば、それぞれｖ１、ｖ２のような異なる距離としてもよい。
【図面の簡単な説明】
【００３６】
【図１】本発明の実施例の合成樹脂製パレットの概略構成について説明するための斜視説明図である。
【図２】図１のＰ部の平面説明図である。
【図３】図２のＡ−Ａ断面説明図およびＢ−Ｂ断面説明図である。
【図４】図１のＰ部の裏面説明図である。
【図５】本発明の実施例の合成樹脂製パレットとパレットサポータの脚部との係合構造について説明するための分解斜視図である。
【図６】本発明の実施例の合成樹脂製パレットと図５（ａ）、（ｂ）に対応するそれぞれのパレットサポータとの係合構造について説明するための平面視の部分断面図である。
【図７】本発明の実施例の合成樹脂製パレットとパレットサポータの脚部との係合構造について説明するための分解斜視図である。
【図８】本発明の実施例の合成樹脂製パレットと図７（ａ）、（ｂ）に対応するそれぞれのパレットサポータとの係合構造について説明するための平面視の部分断面図である。
【図９】従来の木製パレットの概略構成について説明するための斜視説明図である。
【符号の説明】
【００３７】
１  パレット（合成樹脂製パレット）
１ａ  上面（積載面）
１ｂ、１ｃ  側面
２、３  サポータ係合部（パレットサポータ係合部）
２ａ、３ａ  凹部
２ｂ  第１係止面（係止面）
２ｃ  第２係止面（係止面）
２ｄ、２ｅ、３ｄ、３ｅ  挿入案内面
２Ｂ  第１挿入孔部（直線状孔部分）
２Ｃ  第２挿入孔部（直線状孔部分）
３ｂ  第３係止面（係止面）
３ｃ  第４係止面（係止面）
３Ｂ  第３挿入孔部（直線状孔部分）
３Ｃ  第４挿入孔部（直線状孔部分）
１０Ａ、１０Ｂ、１４Ａ、１４Ｂ  パレットサポータ
１２Ａ、１２Ｂ、１５Ａ、１５Ｂ  サポータ脚部（パレットサポータの脚部）
１２ａ、１５ａ  脚部上面
１２ｂ、１２ｃ、１５ｂ、１５ｃ  脚部側面
１３、１６  ストッパ（突片）
１３ｂ、１６ｂ  第１ストッパ面
１３ｃ、１６ｃ  第２ストッパ面
【図１】
2006335432.tif 000003
【図２】
2006335432.tif 000004
【図３】
2006335432.tif 000005
【図４】
2006335432.tif 000006
【図５】
2006335432.tif 000007
【図６】
2006335432.tif 000008
【図７】
2006335432.tif 000009
【図８】
2006335432.tif 000010
【図９】
2006335432.tif 000011